Podtech/llm-jp-corpus-v4-ja_patent huggingface dataset:
(57)【要約】      （修正有）【課題】入院している高齢者で点滴を受けている患者は、不安、ストレスより点滴自己脱去行動が多く危険である。そこで高齢者用自己脱去防止具を提供する。【解決手段】柔らかく肌触りよく通気性にも優れた素材を用いてワイシャツを作成し、刺入部がおおわれ、その開口部（袖口部、前立部）に高齢者が掴みにくい小さな径のボタンを使用した。患者はボタンを掴めず袖口、前立て部を開口出来ないため刺入部を触れず点滴自己脱去防止が出来る。【選択図】図１
2009057671.tif 000002
【特許請求の範囲】
【発明の詳細な説明】
2009057671.tif 000003
2009057671.tif 000004
2009057671.tif 000005
2009057671.tif 000006
2009057671.tif 000007
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
添付看護研究全文
【手続補正２】
【補正対象書類名】明細書
【補正対象項目名】全文
【補正方法】変更
【補正の内容】
【発明の詳細な説明】
【技術分野】
【０００１】医療介護現場における点滴施行中の患者様
【発明が解決しようとする課題】
【０００２】認知症の方が点滴自己抜去をする事で治療の継続困難、出血のリスク（時として輸血を必要とする事がある）等を軽減する
【課題を解決する為の手段】
【０００３】現在、抑制帯でベットへくくりつけられたり（両上肢もしくは四肢の抑制）点滴の中止となることがあるが、この防止具を利用する事で患者様の動きを妨げないこと、点滴を固定しているテープをはがせないような造りになっている（看護研究参照下さい）
【発明の効果】
【０００４】「看護研究」におきまして３事例、その後中心静脈栄養注射施行２事例においてほぼ効果がみられました。
【発明を実施するための最良の形態】
【０００５】袖口はワイシャツと同様カフスがあり小さなボタンで着脱でき、エリ元はスタンドカラーであり、スタンドカラー部も小さなボタンで着脱できるようになっている事。体の前部分はファスナーや小さなボタンでありファスナーの時はファスナーのつまみがはずせる、もしくは、上にカバー等がなされ容易におろせない事、パジャマにこの形態を組み込む事が良いと考えられるが、単品の場合背部にあたる部分等褥瘡予防の為最少面績である事が望ましい。
【実施例】
【０００６】：看護研究を参照下さい
【産業上の利用可能性】
【０００７】医療における点滴自己抜去は転倒転落・誤薬と並び３大事故といわれている。看護協会での発表時又、セコム提携病院間においての反響も多かった。利用可能性は大きいと考えられる
【図面の簡単な説明】
【０００８】
【図１】
2009057671.tif 000008
【手続補正３】
【補正対象書類名】図面
【補正対象項目名】全図
【補正方法】変更
【補正の内容】
【図１】
2009057671.tif 000009
(57)【要約】【課題】レインコ−トの両腕の一部にメッシュ素材（速乾素材）を設けたレインコ−トを提供する【解決手段】レインコ−ト本体（１）の両腕の一部、（腕の長さに対して袖口から三分の二、腕の太さに対して三分の一の所にメッシュ素材（速乾素材）（２）を設けたことを特徴とする。【選択図】図１
2009057673.tif 000002
【特許請求の範囲】
【請求項１】
レインコ−ト本体（１）の両腕の一部、腕の長さに対して袖口から三分の二、腕の太さに対して、袖下三分の一に当る部分にメッシュ素材（速乾素材）（２）を取り付けた、本発明は、以上のようなことを特徴とする快適レインコ−トである。
【発明の詳細な説明】
【技術分野】
【０００１】  この発明は、レインコ−ト本体の腕の一部にメッシュ素材（速乾素材）を取り付けた快適レインコ−トに関するものである。
【背景技術】
【０００２】  従来のレインコ−トは、雨が降った時濡れない為だけに作られた物で、又、袖口から水が入らないように袖口を締め付ける窮屈なレインコ−トで、鮎釣りをする行動に不向きだった。
【発明の開示】
【発明が解決しようとする課題】
【０００３】  これは次のような欠点があった。
（イ）従来のレインコ−トは、おとり鮎が根掛かりした時（おとり鮎の針が水中の石やゴミに引っ掛った状態）腕を水中に入れ根掛かりをはずし、おとり鮎を送り出す時、（腕を高く上げる）袖口から腋の下に水が入ってきて不快感だった。
（ロ）水を袖口から入らないように手首を締め付けて窮屈だった。
本発明は、これらの欠点を除くためになされたものである。
【課題を解決するための手段】
【０００４】  レインコ−ト本体（１）の腕の一部、腕の長さに対して袖口から三分の二、腕の太さに対して袖下三分の一の所にメッシュ素材（速乾素材）（２）を取り付ける。
本発明は、以上のような構成よりなる快適レインコ−トである
【発明の効果】
【０００５】  レインコ−ト本体の腕の一部にメッシュ素材（速乾素材）を取り付けた事により、おとり鮎が根掛かりした時（おとり鮎の針が水中の石やゴミに引っ掛かった状態）腕を水中に入れ、根掛かりをはずし、おとり鮎を送り出す時（腕を高く上げる）腕の一部をメッシュ素材（速乾素材）にした為、腋の下に水が入る不快感が無くなり、アンダ−シャツ感覚で、快適に鮎釣りが出来るようになった。
【発明を実施するための最良の形態】
【０００６】  以下、本発明を実施するための最良の形態について説明する。
レインコ−ト本体の（１）腕の一部に（腕の長さに対して袖口から三分の二、腕の太さに対して袖下三分の一の所に）メッシュ素材（速乾素材）を設ける。
本発明は以上のような構造で、これを使用するときは、レインコ−ト本体（１）腕の一部にメッシュ素材（速乾素材）（２）が取り付けて有る為、アンダ−シャツ感覚で、快適に鮎釣りが出来る。
【図面の簡単な説明】
【０００７】
【図１】  本発明の正面図である。
【符号の説明】
【０００８】  １  レインコ−ト本体
２  メッシュ素材（速乾素材）
【図１】
2009057673.tif 000003
(57)【要約】      （修正有）【課題】夏に、首を冷やしたり、冬に、首の寒さを防ぐための、見栄えが良く、デザインが損なわず、活動時に適したハイネックシャツを提供すること。【解決手段】ハイネックシャツ１の首の後部分を水平に切断する。切断部にファスナー２を縫い付ける。ファスナーを縫い付けることにより、首の部分がポケットとなる。このポケットに冷却材・カイロ等を入れる。【選択図】図１
2009057675.tif 000002
【特許請求の範囲】
【請求項１】
ハイネックシャツの首の部分にファスナーを縫い付け、冷却材・カイロ等を入れるポケットとする。
【発明の詳細な説明】
【発明の詳細な説明】
この発明は、ハイネックシャツの首の部分にファスナーを縫い付け、ポケットとした。
従来夏に、首を冷やすには、冷却シートを首に貼ったり、首に巻いたりして、見栄えも悪く、活動時には適していなかった。冬は、マフラー巻いて寒さを防いでいた。
本発明はその強い要望をまとめて簡単な方法で解決したものである。以下それを説明する。
（イ）  ハイネックシャツの首の後部分を水平に切断する。（２重構造なので外のみ切断）
（ロ）  切断部にファスナーを縫い付ける。
（ハ）  ファスナーを縫い付けることにより、首の部分がポケットとなる。
こうすれば、夏に冷却材か直接肌に触れることなく、首を冷やしてくれ、スポーツや作業等の活動時にも、安易に冷やす事が出来しかも、簡単に冷却材が取替え出来る。冬は、カイロをいれることが出来る。
首部の後に設けるため、前からのデザインが損なわれない。
本発明はこのように簡単な方法で、問題を解決したものである。
【図面の簡単な説明】
【図１】本発明の後からの首部立面図
【図２】本発明の首部平面図
【符号の説明】
１はハイネックシャツ    ２はファスナー
【図１】
2009057675.tif 000003
【図２】
2009057675.tif 000004
(57)【要約】      （修正有）【課題】犬の散歩時糞を道路等に直接させる前に糞取り道具により糞を受け素早く処理し道路その他を汚さない様にします。その為に使用する糞取り道具です。【解決手段】棒状の握り部分２の先端にリング状の形を有する網３を張った部分を作り握り部分２の一部にクリップ４を有する本体全体に犬の糞を入れる為の袋を被せその袋をクリップ４で留められる様にした犬の糞取り道具。【選択図】図１
2009072173.tif 000002
【特許請求の範囲】
【請求項１】
棒状の握り部分の先端、にリング状の形を有する網を張った部分を作り、握り部分の一部にクリップを有する本体全体に犬の糞を入れる為の袋を被せ、その袋をクリップで留められる様にした犬の糞取り道具。
【発明の詳細な説明】
【技術分野】
【０００１】本発明は犬の散歩時道路その他の部分に直接糞をさせる前に受け取る犬の糞取り道具に関するものである。
【背景技術】
【０００２】簡単軽量の犬の糞取り道具はありますが袋の取り付け方法が複雑で時間が掛かるものが多く、糞の重さや量を袋だけに依存しているものが多い。
【発明の開示】
【発明が解決しようとする課題】
【０００３】そのために、次のような問題点があった。
糞を入れる袋をリング状の留め金具やゴム等で留めて使用するので、糞を受け取る時量が多かったり重かったりすると袋が外れたり破れたりする。
又次のために袋を着装するのに時間が掛かる。
本発明は以上の問題点を解決するためになされたものである。
【問題を解決する為の手段】
【０００４】棒状の握り部分の先端にリング状の形を有する網を張った部分を作り、握り部分の一部にクリップを有し本体全体に犬の糞を入れる為の袋を被せ、その袋をクリップで留められる様にした犬の糞取り道具。
【発明の効果】
【０００５】従って本発明は次の様な効果を生じる。
犬が糞をする動作に入った時に糞取り道具の握り部分を持って尻の下に差出し糞を受ける。リング状の部分に弛みを持たせた網が張ってあるので、網で糞を受ける形になりますがその上にクリップで留めた袋が被せてあるので網は汚れません。
クリップより袋を外し裏返しするように糞取り道具本体より外し処理します。軽量簡便な糞取り道具なので持ち運びに邪魔にならず処理が簡単に出来、次の用意が素早く出来ます。
【発明を実施する為の最良の形態】
【０００６】以下本発明の実施形態を説明する。
（１）のリング状の部分に（３）の網をふくらみをもたせて底を作り（２）握り部分に（４）クリップを取り付けるものが本体であり（５）の袋を本体全体に被せてその一部分を（２）握り部分の（４）クリップで留める。
本発明は以上の構成より成り立っている。
本発明を使用する時は、散歩用手提げ袋等に入れて持ち、素早く犬の尻の下に置き、糞を受け袋を裏返す様に本体より外し、袋を閉じて手提げ袋等に入れて持ち帰ります。次の為に袋を本体に被せ用意します
【図面の簡単な説明】
【０００７】
【図１】本発明の本体図
【図２】本発明の使用時の全体図
【図３】本発明の使用状態の説明図
【図４】本発明の使用状態の説明図
【図５】従来の糞取り道具の説明図
【符号の説明】
【０００８】（１）  リング部
（２）  握り部
（３）  網
（４）  クリップ
（５）  袋
【図１】
2009072173.tif 000003
【図２】
2009072173.tif 000004
【図３】
2009072173.tif 000005
【図４】
2009072173.tif 000006
【図５】
2009072173.tif 000007
(57)【要約】      （修正有）【課題】鹿等、有害獣が夜間等に農地等に侵入し飼料作物等の食害、踏伏害等を防止する。【解決手段】有害獣の嫌う音波を発生させる事により、有害獣の侵入を防ぐ機器及び、そのシステム。農地の有害獣の出没しそうな所に本機を設置し、本機内内蔵の音波、超音波を発生させ有害獣を制御する。更に、本機を複数設置する事により有害獣を大きく取り囲み捕獲駆除の効率を高める。【選択図】図１
2009072174.tif 000002
【特許請求の範囲】
【請求項１】
鹿等、有害獣が夜間等に農地等に侵入し飼料作物等の食害、踏伏害等を防止する為の機器とそのシステム
【発明の詳細な説明】
【技術分野】
【０００１】有害獣の嫌う音波を発生させることにより、有害獣の侵入を防ぐ
【背景技術】
【０００２】従来はネット、フェンス等の設置であったが経費が大きく又、電牧等では林野地においては電源の確保が難しい。又、鹿等、有害獣は夜間の活動であるためハンターの活動が出来ない。又、狩猟禁止区域での出没には対応が出来ないなかで農地等に侵入し飼料作物等の食害、踏伏害等の侵入防止策であった。
【発明の開示】
【発明が解決しようとする課題】
【０００３】従来のネット、フェンス等の設置では経費が大きく又、電牧等では林野地においては電源の確保が難しい。又、鹿等、有害獣は夜間の活動であるためハンターの活動が出来ない。又、狩猟禁止区域での出没には対応が出来ないなかで農地等に侵入し飼料作物等の食害、踏伏害等の侵入防止をする。
【課題を解決するための手段】
【０００４】鹿等、有害獣が出没しそうな所に設置する
【発明の効果】
【０００５】鹿等、有害獣が夜間等に農地等に侵入し飼料作物等の食害、踏伏害等を防止することが出来る、また、農業の振興、自給率の向上になる
【発明を実施するための最良の形態】
【０００６】農地の有害獣の出没しそうな所に太陽電池を動力源とする本機を設置し、本機内内蔵の自動演算機を通し音波、超音波を発生させ有害獣を制御し、ソナーで認知し音波、超音波、閃光、猟銃の射撃音で有害獣を追い払う、更に携帯電話等と連動させる事により出没を確認できる。
【実施例１】
【０００７】  ［図１］農地の有害獣の出没しそうな所に本機を設置
【図面の簡単な説明】
【０００８】
【図１】設置場所例
【図２】動力源（太陽電池）、本機内内蔵機能、スタンド、地中台座を基本構造としたもの
【図１】
2009072174.tif 000003
【図２】
2009072174.tif 000004
(57)【要約】【課題】鮎釣り用の引舟の側面の片側の一部に切り口を作り、切り口部分から仕切り板を差し込み蓋としておとり鮎を車で移動できる、おとり缶兼用引舟を提供する【解決手段】引舟本体（１）の側面の片側の一部に切り口部分（２）を設け、引舟の内側に溝（３）を設け、引舟の内側に差し込み蓋とする仕切り板（４）を設け、エア−ポンプのホ−スを入れる為の穴（５）を設けた事を特徴とする。【選択図】図１
2009072171.tif 000002
【特許請求の範囲】
【請求項１】
鮎釣り用の引舟本体（１）の側面の片側一部に切り口（２）を設け（引舟を立てた状態で水の入って居る高さの位置）引舟の内側に溝（３）を設け、切り口部分から引舟の内側の溝をガイドとして差し込む仕切り板（４）を設け、その仕切り板を差し込み蓋として、引舟の下半分の位置に、エア−ポンプのホ−スを入れる為の穴（５）を設けた、おとり缶兼用引舟。
【発明の詳細な説明】
【技術分野】
【０００１】  この発明は、引舟の側面の片側に切り口を作り、引舟の内側に溝を作り、切り口部分から引舟の内側に、仕切り板を差し込み蓋として、引舟の下半分をおとり缶にする、おとり缶兼用引舟に関するものである。
【背景技術】
【０００２】  従来の引舟は、川の中で使用するもので、おとり缶の役割は果たさなかった。
【発明の開示】
【発明が解決しょうとする課題】
【０００３】  これは次のような欠点があった。
従来の引舟は、おとり缶と兼用ではなく、おとり鮎を引舟に入れての車移動は出来なかった。
本発明は、これらの欠点を除くためになされたものである。
【課題を解決するための手段】
【０００４】  引舟本体（１）の側面の片側一部に切り口部分（２）を設け（引舟を立てた状態で水の入っている高さの位置）に引舟の内側に溝（３）を設け、切り口部分から引舟の内側の溝をガイドとして差し込んで蓋とする仕切り板（４）を設け、引舟の下半分にエア−ホ−スの入る穴（５）を設ける。
本発明は、以上のような構成よりなるおとり缶兼用引舟である。
【発明の効果】
【０００５】  引舟をおとり缶と兼用にすることで、おとり缶から引舟におとり鮎を移しかえる手間が無くなった。
【発明を実施するための最良の形態】
【０００６】  以下、本発明を実施するための最良の形態について説明する。
引舟本体（１）の側面の片側一部に切り口部分（２）を設け、引舟の内側に溝（３）を設け、引舟の内側に差し込む切り板（４）を設け、エア−ホ−スの入る穴（５）を設ける  本発明は以上のような構造で、これを使用する時は、引舟本体（１）の側面の片側一部の切り口部分（２）から引舟の内側の溝（３）をガイドとして仕切り板（４）を差し込んで蓋としてエア−ホ−スを穴（５）から差し込みエア−を入れながらおとり鮎を移動する。
【図面の簡単な説明】
【０００７】
【図１】  本発明の側面図である。
【符号の説明】
【０００８】１、  引舟本体
２、  側面の切り口部分
３、  引舟の内側の溝
４、  仕切り板の蓋
５、  エア−ポンプのホ−スを入れるための穴
【図１】
2009072171.tif 000003
(57)【要約】      （修正有）【課題】セラミックスで出来たプラズマ  トロン  で  燃焼熱の排ガスを原子レベルで無害化するための部材プラズマの高熱でトロンを赤熱させ、排ガスを原子核振動を励起させるもの【解決手段】煙突のない密閉炉を燃焼炉として設置し、右上の角端に空気噴射装置を設けて構成し、その下に燃料投入窓を併設して安全を保持して  燃焼ガスを炉底左側に設置してある  プラズマ  トロン  に  空気の圧力で  吹き付け、ガスの酸化熱を高熱燃焼しその熱をプラズマトロンに蓄熱して高熱にエネルギーアップして電子温度を１２００度から５５００度に高めチタン金属とアルミナセラミックを赤熱し、強力な赤外線放射熱を誘発した、全工程として、公害の原因であるフルオロカーボンや煤燼の分子や原子を原子核振動で変換し清熱のクーロンにして大気に排出する、燃焼システム装置。【選択図】図１
2009072054.tif 000002
【特許請求の範囲】
【請求項１】
変分学上の近接作用を起すクーロン力は、万有引力が伝える粒子の重力子と違い（グラビトン）の様に引く力のみでなく、反発力ををもち、距離の２乗に反比例した、クーロン力は電気力で場の量子論、電磁力学上の電磁波であって  光子である、末知数ＸとＹ距離をもつ場の中で質量ｍの物体分子Ａをもって速度ｕｏでコアンダー原理で乾燥させた炉中で角運動一定法則中、公転運動を促し、動圧をもった層流に乗せサイクロイド遠心力で分子をアルミナで作った  セラミックのプラズマ  トロンに激突させて水素原子の炭化水素と黒煙を  Ｐ波Ｓ波を発光スペクトルにして光熱にする、アルミナ、プラズマ、トロン。
【請求項２】
デカルト近接衝突作用は電気をもたない中性子にて電子保存の法則に基づきエントロピーを増大させ和を崩してやります、発明品のサイクロイド空気流で円運動による慣性力を出発点Ｐと到着点Ｑの其の軌道をもつ径路公転軌道で
2009072054.tif 000006
多く散乱し、附近の空間が変形してクボミがあちこちにできる、この変形した  陽電粒子は電気をもっておりますから磁場（磁界）や電場（電界）を通ると曲がります、原子の中には原子核があり陽子のまわりを、マイナスの電子が  公転しており、ボーア半径の基底状態を回っておる一番小さい軌道の電子を高エネルギーや高熱を与えると、エネルギーが最も高い外側の軌道に飛び上り
2009072054.tif 000007
プラズマトロンに燃焼ガスを電子激突させる、コアンダ層流の空気システム
【発明の詳細な説明】
【技術分野】
【０００１】本発明は宇宙エネルギーと言われている、四次元エネルギーを励起して取り出す炉であり原子の中では中心にあるプラスの原子核のまわりを
2009072054.tif 000003
赤外線を放射すると−電子が励起され加速する、ボーア半径基定状態にある  電子は高エネルギーを与えられ外側の軌道に飛び上り、次々と電子は弾き飛ばされます、この時、釣合いの外れた陽子は異常振動を起します、この異常振動
2009072054.tif 000004
ある核力のことで、宇宙エネルギーであり、第４次元エネルギーです、
【背景技術】
【０００２】  ウランやプルトニュウムを使った原子炉はあるが、放射能の廃棄物が出る為危険なエネルギーである、核振動エネルギーは無害であり、世界に無い新技術
【発明の開示】
【発明が解決しょうとする課題】
【０００３】煙の中にはフルオロ  カーボン等の煤燼、酸性雨の原因となる煙害を多く出し地球環境の温暖化の原因になっている、これを、無煙、無害の大気にもどして又は最初からクーロンに原子核振振動励起させてエネルギーにする事を解決し木材や植物を原料とし地球環境の温暖化をストップすることを最大の目的とす
【課題を解決するための手段】
【０００４】
2009072054.tif 000005
密度を高め、炉底に設けた麦飯石と５，５００度に赤熱させたセラミックに  通し、高熱赤外線が放射している核心で原子を励起して四次元のエネルギーの  クーロンのエネルギーを創出させる様にした、原子核振動エネルギー
【０００５】  また、請求項２の発明は、炉内は硫化水素や塩化物、酸化窒素や一酸化炭素が入り乱れて、炉壁を破壊し炉の機能を損なう、この流れを受けて、下部に設置がしてある、プラズマトロンやレーザートロンの材質まで損なう恐れがあるので  炉壁のレンガに鉄粉や其の他の金属を入れて成形して蓄熱レンガとしイオンでプラズマトロンの材質を損ねない様にした、炉全体を保護する目的とする
【０００６】  煙突のある炉は、あらゆる公害物を排出し、特にフルオロカーボンや  その他フライアッシュ、など、地球温暖化を加速させている、この問題を解決するには一次燃焼はポテンシャル燃焼をさせ、次にガス化したガスを炉底で二次燃焼させ更に分子を単原子にすることでクーロンの光熱にすることができる、ピコテクの  ミクロの分子分解をするには１２００度から５５００度内の電子温度の熱源とマイナスの電磁波が必要で、その反応をプラズマトロンで解決したもの。
【産業上の利用可能性】
【０００７】  枯渇するエネルギーの化石燃料と違い、植物を中心にしたバイオエネルギーは永遠に活用できる、並びに価格が安価で経済的で産業上に貢献するものである、  更に地球温暖化が解決でき重要な宇宙大気が正常な状態に戻すことが可能なる清熱のクーロンエネルギーである、このクーロンエネルギーは光熱で、あらゆる分野に用途があり、暖房、乾燥、炭化、発電、蒸気と、産業上の利用可能は大
【図面の簡単な説明】
【０００８】
【図１】は、原子核振動四次元エネルギー励起炉の斜視図である
【図２】は、プ  ラ  ズ  マ  ト  ロ  ン  の  位  置  図
【図３】は、プラズマ  トロン  本体
【図１】
2009072054.tif 000008
【図２】
2009072054.tif 000009
【図３】
2009072054.tif 000010
(57)【要約】【課題】  従来から複数連結されているハンガーには長袖を横に伸ばして干せるものがなくそのためにわきの下部分の乾きがおそかった。【解決手段】  複数連結されているハンガーの上部にフードを掛けるフードかけアームを、両端のハンガーの両サイドには長袖の袖が掛けて干せるように袖かけアームを取り付けた。【選択図】図３
2009072555.tif 000002
【特許請求の範囲】
【請求項１】
複数連結されているハンガーの上部に内筒を有した筒状のフード掛けアームを併設し、両端のハンガーの両サイドの支点部に内筒を有した筒状の袖かけアームを延長アームに架設して取り付けることを特徴とした袖かけハンガーである。
【発明の詳細な説明】
【技術分野】
【０００１】  本発明は連結している複数のハンガーに袖をかけるアームを取り付けたハンガーに関するものである。
【背景技術】
【０００２】  従来から袖などを長く伸ばして干せるハンガーは各種多様に市販されているが、ほとんどのハンガーは単一品である。家事が忙しいと干し物の一つ一つに袖を通してしまうのは面倒で尚且つ時間がかかる。（例えば、特許文献１、特許文献２参照）またフード付の服を干す場合にもフードを掛けるところがないため、その部分の乾きが遅い。という欠点がある。そのような利便性をもっている複数のハンガーが連結されているタイプのものには見当たらない。
【特許文献１】特開２００７−１１７５２９号  公報
【特許文献２】特開２０００−３５４６９９号  公報
【発明の開示】
【発明が解決しようとする課題】
【０００３】  本発明は上記の欠点を除いた袖かけハンガーを実現することを目的としたものである
【課題を解決するための手段】
【０００４】  本発明を図３において説明すると、複数連結されているハンガーの上部に内筒（５）を有した筒状のフード掛けアームを（４）併設する。そして両端のハンガーの両サイドの支点部（６）に内筒（５）を有した筒状の袖かけアーム（２）を延長アーム（３）に架設して取り付けることを特徴とした袖かけハンガーである。
【発明の効果】
【０００５】  （イ）長袖等は、袖かけアーム（２）に掛けておくだけでわきの下の方も早く乾くので        手間がかからない。
（ロ）冬物は厚手物が多いので袖かけアーム（２）を利用するとかたくずれしないで乾        かすことができる。
（ハ）数個連結しているどのハンガーでも袖かけアーム（２）を利用できる。
（ニ）フード付上着でもフードをフード掛けアーム（４）に掛けることができるのでフ        ード部分も早く乾くことができる。
（ホ）袖かけアーム（２）は使用しない時は、延長アーム（３）が支点部（６）にて回        転してハンガー上部に位置させておけるのでコンパクトにしておける。
【発明を実施するための最良の形態】
【０００６】  複数連結されているハンガーの上部に内筒（５）を内部に挿入している筒状のフード掛けアーム（４）を併設する。【０００７】  内筒（５）を内部に挿入している筒状の袖かけアーム（２）の両端に延長アーム（３）を併設する。【０００８】  延長アーム（３）を両端より２番目に設置しハンガーの両サイドの支点部（６）に支点ピン（７）にて取り付ける【０００９】  本発明は以上のような構造でこれを使用する時の説明をする。長袖の服を干す時は、図５に示すようにハンガーの上部より袖かけアーム（２）及び延長アーム（３）を支点部（６）を中心にしてハンガーの両サイドに下げると支点部（６）のストッパーピン（８）にて停止する。そこで袖は、袖かけアーム（２）にかける。またフード付の場合はフード掛けアーム（４）の内筒（５）を引き出してそれにフードをかける。【００１０】  袖かけアーム（２）を使用しない時などは、支点部（６）を中心にしてハンガーの上部に袖かけアーム（２）及び延長アーム（３）を折りたためればよい。
【図面の簡単な説明】
【００１１】
【図１】本発明による正面図である。
【図２】本発明による正面図で袖かけアームを折りたたんだ状態である。
【図３】本発明による斜視図である。
【図４】本発明による斜視図で袖かけアームを折りたたんだ状態である。
【図５】本発明による使用状態の斜視図である。
【図６】本発明による支点部の詳細図である。
【符号の説明】
【００１２】  １    ハンガー本体
２    袖かけアーム
３    延長アーム
４    フード掛けアーム
５    内筒
６    支点部
７    支点ピン
８    ストッパーピン
９    干し物
【図１】
2009072555.tif 000003
【図２】
2009072555.tif 000004
【図３】
2009072555.tif 000005
【図４】
2009072555.tif 000006
【図５】
2009072555.tif 000007
【図６】
2009072555.tif 000008
(57)【要約】      （修正有）【課題】従来のベッドでは、外部の騒音で、安眠できなかった。【解決手段】通常のベッドの形に、カプセルを開閉出来る様に取り付け、外部の音を、遮断する。第２の解決手段は、ベッド本体に、吸音材を使用する。さらには、湿気から守るため、排気口を取り付ける。夏、冬室内のクーラーおよびカプセル内の排気口ファンで、温度を保てるので１年中安眠できるものである。【選択図】図２
2009072559.tif 000002
【特許請求の範囲】
【請求項１】
従来のベットでは外部の騒音から守れないためベット本体にカプセルを、かぶせ開、閉でき外部の騒音を遮断することができた、空気の流通のため足元に排気口を取付け、ファンで送くり、夏冬でも使用でき室内の冷暖防で使用でき、光を遮断するためカーテレールを取り付けた、カプセルとベット本体を密閉を保つ為めパッキン使用し防音こうかを保つカプセル防音安眠ベット
【発明の詳細な説明】
【技術分野】
【０００１】本発明は、外部の騒音から、安眠を守る為のベッド
【背景技術】
【０００２】従来のベッドでは、騒音から、安眠を守れない、その為、カプセルを取り付ける、事で防音対策をしたものである、
【発明の開示】
【発明が解決しようとする課題】
【０００３】本発明は、外部の騒音から、守る為、防音カプセルを乗せる事で、騒音を、効果的に、消音し、静かなベッドを、実現する事を目的とする者である、
【課題を解決するための手段】
【０００４】本発明は、通常のベッドの形に、カプセルを、開閉出来る様に、取り付け、外部の音を、遮断できる物である、【０００５】第２の解決手段は、ベッド本体に、吸音材を使用【０００６】湿気から守る為、排気口を取り付けること、
【発明の効果】
【０００７】上述したように、本発明のベッドは、外部の騒音から、安眠を守る為の、防音安眠ベッドであり、安らかな、安眠を、提供できる、
【発明の実施するための最良の形態】
【０００８】以下、本発明の実施の形態を図１〜図３で説明する、
【図面の簡単な説明】
【０００９】
【図１】ベッド本体を横から見た形
【図２】ベッド本体を全面から見た形
【図３】ベッド本体を正面から見た形
【図１】
2009072559.tif 000003
【図２】
2009072559.tif 000004
【図３】
2009072559.tif 000005
(57)【要約】      （修正有）【課題】クサリ、ネックレス等のアクセサリーを簡素な構造により着脱を早く、容易に身体に装着し得るクラスプを提供する。【解決手段】弾性部材を用い下部に案内溝２Ａ，２Ｂを設けて押出部を鋭角にして後背部で指の感覚を敏感にして着脱が簡単に出来るようになった。  ４が突起１に挿入して、２Ａと２Ｂの案内溝に装着される、４を外す時は取手である３を押して簡単に外す事ができる。【選択図】図１
2009072556.tif 000002
【特許請求の範囲】
【請求項１】
Ｌ字型にして全体に弾性部材を用い、下部に案内溝を設け、押出部を鋭角にした事を特徴とするクラスプ。
【発明の詳細な説明】
【技術分野】
【０００１】  本発明はクラスプに関するものであり、Ｌ字型にして全体を弾性部材を用い、下部に案内溝を設けて着脱を容易にしたものである。
【背景技術】
【０００２】  本発明に関連する技術を記載された文献は見当たりません
【発明の開示】
【発明が解決しようとする課題】
【０００３】  従来のクラスプは取手が小さく老人には着脱が困難であった。
本発明は簡単な構造によりその着脱を容易に身体に装着し得ることを課題とする。
【課題を解決するための手段】
【０００４】  この課題を解決するための請求項１の発明は、従来の物とは全く違う方法で着脱を容易にするのが特徴とするクラスプである。
【発明の効果】
【０００５】  本発明により弾性部材を用い下部に案内溝を設けて押出部を鋭角にして後背部で指の感覚を敏感にして着脱が簡単に出来るようになった。
【発明を実施するための最良の形態】
【０００６】  本発明に係るクラスプは図１が示すように、４が突起１に挿入して、２Ａと２Ｂの案内溝に装着される、４を外す時は取手である３を押して簡単に外す事ができる。【０００７】  図２は本発明の立体図で素材は弾性の部材を用いる、押圧部分３は先端を鋭角に立てる事により後背部で両手の指の感覚を敏感にして脱着を容易にした。
【産業上の利用可能性】
【０００８】  本発明係るクラスプは簡単な構造で工業的に低コストで量産する事が可能であるため、産業上の利用可能を有する。
【図面の簡単な説明】
【０００９】
【図１】  従来使用されている平板４と挿入される弾性部材を用い案内溝を設けた本発明のクラスプの側面図である。
【図２】  先端を丸く細くし弾性部材を用い案内溝を設けた本発明のクラスプの立体図である。
【符号の説明】
【００１０】  １  先端を丸く細くして４の挿入容易にする。
２  案内溝を設ける事により外れにくくする。
３  押圧部分でプッシュする事により容易に４を脱する。
４  本発明の片方の継手で従来から使用されている。
【図１】
2009072556.tif 000003
【図２】
2009072556.tif 000004
(57)【要約】【課題】  電気掃除機の集塵室に吸い込まれて溜まったダニ等の虫を駆除するための殺虫剤含有物を提供する。【解決手段】  縦、横、高さの大きさがそれぞれ３０ｍｍ以下の大きさで任意の形状の吸着担体に蚤ダニ用の殺虫剤を主成分とする殺虫剤を吸着させてなる殺虫剤含有物。【選択図】図２
2009072542.tif 000002
【特許請求の範囲】
【請求項１】
縦、横、高さの大きさがそれぞれ３０ｍｍ以下の大きさで任意の形状の吸着担体に蚤やダニ用の殺虫剤を主成分とする殺虫剤を吸着させてなる電気掃除機用殺虫剤含有物
【発明の詳細な説明】
【技術分野】
【０００１】  本発明は、電気掃除機の集塵室に吸い込まれて溜まった蚤やダニ等の有害虫を駆除するための殺虫剤含有物に関するものである。
【背景技術】
【０００２】  家の中のホコリや布団・カーペット等には多くのダニなどの有害虫がすんでおりアトピー性皮膚炎やアレルギーや喘息の原因ともいわれています。更にペットを家の中で飼うことも多くなりペットに付着して蚤やダニ等も家の中に入り込んできます。
また省エネルギーと快適住空間の観点から家の構造も高断熱、高気密になりダニの住みやすい環境にもなっています。このような状況のなか電気掃除機で掃除すると当然多くの蚤やダニが集塵室に溜まってきます。
従来は多くの場合、電気掃除機の集塵室に溜まったダニ等は駆除されることなく集塵された塵と一緒にゴミ箱やゴミ袋に捨てられていました。
【発明の開示】
【発明が解決しようとする課題】
【０００３】  電気掃除機で集塵した塵を捨てる時に、舞い上がった塵などにダニ等が付いていないか心配であったし、集塵室やゴミ箱・ゴミ袋から這い出してこないかとの心配もあった。
本発明は、以上の問題点を解決し電気掃除機の集塵室に溜まった塵を安心して捨てることができるようにするためのものである。
【課題を解決するための手段】
【０００４】縦、横、高さの大きさがそれぞれ３０ｍｍ以下の大きさで任意の形状の吸着担体に蚤ダニ用の殺虫剤を主成分とする殺虫剤を吸着させてなる殺虫剤含有物。
本発明は、以上の構成よりなる電気掃除機用の殺虫剤含有物である。
【発明の効果】
【０００５】  本発明を電気掃除機の集塵室に直接投入するか又は吸い込ませて使用すると、集塵室内で本発明の殺虫剤含有物から徐々に殺虫剤が放出され集塵室の中に溜まっている蚤やダニなどの有害虫を駆除する。そのため、安心して集塵室に溜まった塵を捨てることができるし、集塵室からダニ等の虫が這い出してくる心配もしなくてすみます。
【発明を実施するための最良の形態】
【０００６】以下本発明の実施形態を説明する。
（イ）直径３ｍｍ〜１５ｍｍ程度の球状の吸着担体（１）に蚤やダニ用の殺虫剤を主成分とする殺虫剤（２）を吸着させてなる殺虫剤含有物（３）。
（ロ）蚤やダニ用の殺虫剤は、フェンチオン、フェニトロチオン、フェノトリンなどが有るが特に特定する必要はなく効能や使用吸着剤との相性や安全性やコスト等を検討して選択すべきものである。
（ハ）本実施形態では球状の吸着担体としているが、転がり防止のため立方体の吸着担体でもよい。
本発明は、以上の構成よりなる殺虫剤含有物である。
本発明を使用するときは、電気掃除機（４）の集塵室（５）に直接投入するか又は吸い込ませて使用する。
【図面の簡単な説明】
【０００７】
【図１】本発明の斜視図
【図２】本発明の使用状態を示す図
【符号の説明】
【０００８】１  ・・・・吸着担体
２  ・・・・殺虫剤
３  ・・・・殺虫剤含有物
４  ・・・・電気掃除機
５  ・・・・集塵室
【図１】
2009072542.tif 000003
【図２】
2009072542.tif 000004
(57)【要約】【課題】  汚れた床等を掃除するための、四つんばいで使用するモップを提供する。【解決手段】所定サイズのモップ、科学雑巾、タオル等の裏に四つんばいで使用するように手と足の固定具を取り付けた事を特徴とした、四つんばいで使用するモップ。【選択図】図１
2009072549.tif 000002
【特許請求の範囲】
【請求項１】
所定サイズの大きさのモップ、科学雑巾、タオル等の裏に四つんばいで使用するように、手と足の固定具をとりつけた事を特徴とした四つんばいで使用するモップ。
【発明の詳細な説明】
【技術分野】
【０００１】  本発明は汚れた床等を掃除するための、四つんばいで使用するモップに関するものである。
【背景技術】
【０００２】  従来、汚れた床の掃除は、掃除機でただごみを吸い取るだけだったり、雑巾でふいたり、柄の付いたモップでふくだけだった。
【発明の開示】
【発明が解決しようとする課題】
【０００３】  そのために、次のような問題点があった。
（イ）掃除機も雑巾も従来の柄の付いたモップも、床を綺麗のするための面が小さく、広い面を掃除するのが面倒だった。
（ロ）雑巾は床を拭きながら何度も洗わなくてはいけないし、モップの先も何度も手で洗わなければならないことが多く、洗ったり、後片付けをしたりが面倒だった。
本発明は以上の問題点を解決しようというものである。
【課題を解決するための手段】
【０００４】  所定サイズの大きさのモップ、科学雑巾、タオル等の裏に四つんばいで使用するように手と足の固定具を取り付けたモップである。
【発明の効果】
【０００５】本発明は、床を、綺麗に、楽に、短時間に、一度に広範囲の掃除ができる。また、後片付けは洗濯機で洗うだけで楽である。
【発明を実施するための最良の形態】
【０００６】  所定サイズの大きさ（小柄な成人女性なら約バスタオル大）の、モップ、科学雑巾、タオル等（１）の裏に手と足の固定具（２）〜（７）を取り付ける。
本発明は以上の構成からなるので本発明を使用するときは、使用する人間の手と足を固定具でモップ、科学雑巾、タオル等に固定し、汚れた床の上を四つんばいで前方に進む。
すると、床を綺麗に、楽に、短時間に、一度に広範囲の掃除ができる。
後片付けは洗濯機で洗うだけである。
【実施例１】
【０００７】また、手の固定具は手袋状の物や、ミトン状の物（８）、（９）を縫いつける等しても良い。
【図面の簡単な説明】
【０００８】
【図１】本発明の背面図
【図２】本発明の正面図
【図３】本発明の実施例１の背面図
【図４】本発明の実施例１の正面図
【図５】本発明の使用状態を示した斜視図
【符号の説明】
【０００９】１  モップ、科学雑巾、タオル等
２  固定具
３  固定具
４  固定具
５  固定具
６  固定具
７  固定具
８  手袋状の物、ミトン状の物等
９  手袋上の物、ミトン状の物等
【図１】
2009072549.tif 000003
【図２】
2009072549.tif 000004
【図３】
2009072549.tif 000005
【図４】
2009072549.tif 000006
【図５】
2009072549.tif 000007
(57)【要約】【目的】  大地震の際の犠牲者を無くす目的で、極めて頑丈な机の側壁或は底壁等、適宜箇所に開口部即ち、非常用の脱出口を設けた、耐震避難机【構成】  天板の下面を鉄格子状の骨組みとし、脚部骨組みは肉厚の鉄柱を用い、更に底壁を設けて全体を箱状にしたことにより、頑丈な造りとした上、側壁或いは底壁に開口部即ち、脱出口を設けたものであり、それぞれの開口部に扉を取り付けてもよい。【選択図】図３
2009072545.tif 000002
【特許請求の範囲】
【請求項１】
側壁、底壁に開口部を設けて脱出口としたことを特長とする耐震避難机。
【発明の詳細な説明】
【発明の詳細な説明】
【技術分野】
【０００１】  本発明は地震の際に身を守るために避難する目的の頑丈な机の側壁又は底壁に非常用脱出口を設けた耐震避難机に関するものである。
【背景技術】
【０００２】  従来我が国では、地震の際に身を守る手段の１つに、机の下にもぐる様に言われて来た。しかし大地震で建物の倒壊等の場合に、これに対抗出来る頑丈な机は一般にはほとんど無く、あの阪神大震災の犠牲者六千余人の内、８４％以上、即ち五千人が圧死、圧迫死であったことからも、頑丈で安全、安心な机が望まれていた。本発明はこうした要望に応える為になしたもので、その一実施例について以下に述べる。
【発明を実施するための最良の形態】
【０００３】本発明は木造家屋での使用を理想とするもので、本発明の机の天板の下面は、鉄格子状の骨組みとするなどして、木造家屋での落下物などに対抗可能な如く頑丈とし、脚部骨組みには肉厚の鉄柱を用いるなどして、いかなる木造家屋の倒壊による大荷重にも耐える構造とした上全体の強度を保つために底壁を設けた机で、図３に示す如く側壁及び図４に示す如く底壁に開口部、即ち脱出口を設けたものである。尚これ等の開口部即ち脱出口に扉を取り付けてもよい。
【発明の効果】
【０００４】イ・本発明によれば建物の倒壊の際、大きな二階建ての一階部分が潰れ、二階部分が崩れ落ちて来た場合でも、前記の如く頑丈な構造により全く問題無く、中に避難の人に危険はない。更にこのような場合、従来の一般の机では崩れ落ちた二階部分が覆いかぶさる如くなり、中の人を閉じ込める危険があったが、本発明は側壁及び底壁に、開口部即ち脱出口を設けたことによってその危険は極めて少ない。
ロ・底壁に設けた開口部は、本発明が大きな揺れで横倒し状態になった時に、脱出口として機能する。
ハ・本発明を家庭で使用の場合、居間とか寝室等の身近に置けば、いざ地震の時、老人、病人等、足腰の弱い人でもすぐ避難できる。
そして何よりも慌てて屋外に逃げ出す必要が無いから、その際の危険を避けられる効果は極めて大と言える。
ニ・本発明に設けた開口部、即ち脱出口に扉を取り付ければ一層安全で、これに内部より施錠可能とすれば、地震の他、家庭内暴力とか外部からの侵入者からも身を守る避難机になる。
ホ・本発明は地震以外に、日頃は勉強机とかパソコン台、テレビ台等一般家具として利用出来る。
ヘ・本発明を室の角に収まる如く、背部の形を変え、コーナータイプに造れば、邪魔になることが少なく、見た目にもすっきりする。
【図面の簡単な説明】
【図１】本発明の正面図
【図２】本発明の背面図
【図３】本発明の前面斜視図
【図４】本発明の底壁に設けた脱出口を示す図
【符号の説明】
１，避難机    ２，正面壁の開口部    ３，３’扉    ４，取っ手
５，背面壁の開口部    ６，背面壁の扉    ７，取っ手
８，側面壁の開口部    ９，扉    １０，取っ手    １１，底壁の開口部
【図１】
2009072545.tif 000003
【図２】
2009072545.tif 000004
【図３】
2009072545.tif 000005
【図４】
2009072545.tif 000006
(57)【要約】【課題】  ひったくりを回避・防衛できるようにショルダーバックのショルダーベルトとバック本体の連結させている間に装置を設け、磁石で連結されたショルダーベルトとバック本体を強奪等された際に取り外すことができるひったくり防止装置を提供する。【解決手段】  上部に連結用部材（５）を介してフック（１）を連結し、内部に磁石（６）を設けた接続体（４）に磁石（６）を介して接続し、接続体（４）の下部に連結部材（５）を介して、フック（１ａ）に延長紐（１０）を介して手首固定部（Ｙ）を連結したことを特徴とするひったくり防止装置。【選択図】図１
2009072547.tif 000002
【特許請求の範囲】
【請求項１】
上部に連結用部材（５）を介してフック（１）を連結し、内部に磁石（６）を設けた接続体（４）に磁石（６）を介して接続し、接続体（４）の下部に連結部材（５）を介して、フック（１ａ）に延長紐（１０）を介して手首固定部（Ｙ）を連結したことを特徴とするひったくり防止装置。
【発明の詳細な説明】
【技術分野】
【０００１】  この発明は、ショルダーバックなどのひったくりによる強奪を未然に回避、防衛することができるひったくり防止装置に関するものである。
【背景技術】
【０００２】  従来、バック本体とショルダーベルトが外れないように連結されていて、使用者とバック本体はショルダーベルトのみで、繋がっている。
【発明の開示】
【発明が解決しようとする課題】
【０００３】  これは、次のような欠点があった。
バック本体とショルダーベルトが共に外れぬように連結されており、ひったくり被害に遭った際にバック本体、主にショルダーベルトを引っ張れてしまうと一緒に持って行かれてしまい被害に遭っていた。
ひったくり行為は、人の油断、不意などを衝くので、回避、防衛が困難であった。
本発明は、以上のような欠点をなくすためになされたものである。
【課題を解決するための手段】
【０００４】  上部に連結用部材（５）を介してフック（１）を連結し、内部に磁石（６）を設けた接続体（４）に磁石（６）を介して接続し、接続体（４）の下部に連結部材（５）を介して、フック（１ａ）に延長紐（１０）を介して手首固定部（Ｙ）を連結したことを特徴とするひったくり防止装置。
本発明は、以上の構成よりなるひったくり防止装置である。
【発明の効果】
【０００５】  バック本体とショルダーベルトが共に連結されているとひったくりの被害に遭った際、犯人がショルダーベルトを奪ったときにバック本体も一緒に引っ張られてしまうが、接続体Ａ（２）の窪んだ穴の中に通常通りにバックを使用していても充分に支えられるだけの磁石を設けて、バック本体とショルダーベルトが完全に連結されていない状態にして、ひったくり犯が強く引っ張ったときにショルダーベルトがバック本体から外れることができれば、貴重品等が入っているバック本体は被害を受けない。
逆に、バック本体を奪ったとしても手首固定部（Ｙ）で固定しているので、奪い去ることができないようになっている。
ひったくり犯がひったくり防止装置（Ｘ）を知っていて、バックに取り付いてあるのに気づけば、標的にされない。
ひったくりを未然に回避、防衛できる。
【発明を実施するための最良の形態】
【０００６】  以下、本発明を実施するための最良の形態について説明する。
（イ）ショルダーベルト側連結部（Ｚｂ）の接続体Ａ（２）は、筒状の形の接続体Ｂ（４）に約半分ほど入れた状態で取り付け、その筒の穴の中に磁石を設け、先端には連結用部材（５）を設けて、連結用部材（５）にフック（１）を設ける。
（ロ）当たっても被害を軽減させるような弾力性のある材質からなる筒状の形の筒体（３）を接続体Ａ（２）に設ける。
（ハ）バック本体側連結部（Ｚａ）の接続体Ｂ（４）は、接続体Ａ（２）と同様の材質で、丸型で接続体Ａ（２）と同じく連結用部材（５）を設け、連結用部材（５）にフック（１）を設ける。
（ニ）手首固定部（Ｙ）は、リング連結体（８）に紐（９）を設け、紐（９）にコードストッパー（７）を設けて、リング連結体（８）とバック本体を繋げる延長紐（１０）を設ける。
（ホ）ショルダーベルト側連結部（Ｚｂ）にバック本体側連結部（Ｚａ）をはめ込んで、バック本体側連結部（Ｚａ）に設けたフック（１）もしくは、バック本体の連結部に手首固定部（Ｙ）を取り付けた状態が、ひったくり防止装置（Ｘ）である。
（ヘ）磁石の磁気で磁気カード、アナログ時計や携帯電話等の記憶内容を破壊する危険性が充分に考えられるので、ショルダーベルト側連結部（Ｚｂ）とバック本体側連結部（Ｚａ）の材質等は、磁石の力を抑えることができる材質で造られている。
（ト）筒体（３）の外側には、イラストやデザインなどがプリントされている。
本発明品を使用するときは、接続体Ａ（２）に筒体（３）を取り付ける。
ショルダーベルト側連結部（Ｚｂ）が使用人や通行人、物品等に当たり怪我や物品の破損等を防止できるように筒体（３）には、怪我等を軽減させる役割に適した材質で造られている。
接続体Ｂ（４）を接続体Ａ（２）にはめ込む。
接続体の縦×横×厚さは、磁石の力によってサイズを変更する。
これにより携帯電話や磁気カード等を近くに置いても記憶内容の破壊を喰い止めることができる。
接続体Ａ（２）の連結用部材（５）に設けたフック（１）をショルダーベルトの連結部材に取り付ける。
接続体Ｂ（４）の連結用部材（５）に設けたフック（１）をバック本体の連結部材に取り付ける。
延長紐（１０）を接続体Ｂ（４）の連結用部材（５）に設けたフック（１）もしくは、バック本体の連結部材に連結させ、紐（９）を左右どちらかの手首に掛け、コードストッパー（７）でしっかりと固定する。
あとは、通常通りにショルダーベルトを肩に掛け、ひったくりをする犯罪者がひったくりを実行するまで従来のショルダーバックと変わらず使用し、ひったくりが実行されて、強奪された場合のみにショルダーベルト側連結部（Ｚｂ）とバック本体側連結部（Ｚａ）が強く引っ張られて、本発明の装置が許容吸着力を超えてショルダーベルト側連結部（Ｚｂ）とバック本体側連結部（Ｚａ）が外れ、犯罪者はショルダーベルトとショルダーベルト側連結部（Ｚｂ）のみを奪うことになり、貴重品等が入っているバック本体を強奪されることを未然に回避、防衛できるようになっている。
逆に、バック本体を強奪しょうとしても手首固定部（Ｙ）で固定しているので、強奪することができないようになっている。
【図面の簡単な説明】
【０００７】
【図１】  本発明の斜視図である。
【図２】  本発明の断面図である。
【図３】  本発明の正面図である。
【符号の説明】
【０００８】      Ｘ    ひったくり防止装置
Ｙ    手首固定部
Ｚｂ  ショルダーベルト側連結部
Ｚａ  バック本体側連結部
１    フック
１ａ  フック
２    接続体Ａ
３    筒体
４    接続体Ｂ
５    連結用部材
６    磁石
７    コードストッパー
８    リング連結体
９    紐
１０  延長紐
【図１】
2009072547.tif 000003
【図２】
2009072547.tif 000004
【図３】
2009072547.tif 000005